(57)【要約】【課題】  ＬＥＤ灯を用いた際にも、緑色光を含むことで目視による品質検査が可能であり、かつ水疱症の発症を抑制可能な植物における水疱症の抑制方法を提供する。【解決手段】  本発明の植物における水疱症の抑制方法（以下、「抑制方法」ともいう）植物に光を照射する第１の照射工程を含み、前記光は、青色光、緑色光及び赤色光を含み、赤色光の光量子束密度（ＬＲ）と青色光の光量子束密度（ＬＢ）との比（ＬＲ／ＬＢ）は０．６≦ＬＲ／ＬＢ≦２の範囲を満たす。【選択図】  なし【特許請求の範囲】
【請求項１】
植物に光を照射する第１の照射工程を含み、
前記光は、青色光、緑色光及び赤色光を含み、
赤色光の光量子束密度（ＬＲ）と青色光の光量子束密度（ＬＢ）との比（ＬＲ／ＬＢ）は０．６≦ＬＲ／ＬＢ≦２の範囲を満たす、植物における水疱症の抑制方法。
【請求項２】
前記ＬＲ／ＬＢは、１≦ＬＲ／ＬＢ≦１．４の範囲を満たす、請求項１記載の抑制方法。
【請求項３】
前記第１の照射工程において、前記緑色光の光量子束密度（ＬＧ）は、６０μｍｏｌ ｍ−２ｓ−１以上である、請求項１又は２記載の抑制方法。
【請求項４】
前記第１の照射工程において、前記光の光量子束密度（ＬＡ）は、１６０〜２８０μｍｏｌ ｍ−２ ｓ−１の範囲である、請求項１乃至３のいずれか一項に記載の抑制方法。
【請求項５】
前記赤色光の光量子束密度（ＬＲ）と緑色光の光量子束密度（ＬＧ）との比（ＬＲ／ＬＧ）は、０．６≦ＬＲ／ＬＧ≦１．６の範囲を満たす、請求項１乃至４のいずれか一項に記載の抑制方法。
【請求項６】
前記第１の照射工程の照射時間（Ｔ１）は、１２〜２０時間である、請求項１乃至５のいずれか一項に記載の抑制方法。
【請求項７】
前記第１の照射工程後、前記植物に青色光を照射する第２の照射工程を含む、請求項１乃至６のいずれか一項に記載の抑制方法。
【請求項８】
前記第２の照射工程の照射時間（Ｔ２）と前記第１の照射工程の照射時間（Ｔ１）との比（Ｔ２／Ｔ１）は、０．１≦Ｔ２／Ｔ１≦０．３の範囲である、請求項７記載の抑制方法。
【請求項９】
前記第２の照射工程の照射時間（Ｔ２）は、１〜５時間である、請求項７又は８記載の抑制方法。
【請求項１０】
前記植物に光を照射しない非照射工程を含む、請求項１乃至９のいずれか一項に記載の抑制方法。
【請求項１１】
前記光は、ＬＥＤに由来する、請求項１乃至１０のいずれか一項に記載の抑制方法。
【請求項１２】
前記植物は、トマト植物である、請求項１乃至１１のいずれか一項に記載の抑制方法。
【請求項１３】
植物に光を照射し、生育させる生育工程を含み、
前記生育工程は、請求項１乃至１２のいずれか一項に記載の抑制方法により実施される、植物の生産方法。
【請求項１４】
植物に青色光を照射可能な第１の照射ユニットと、
植物に緑色光を照射可能な第２の照射ユニットと、
植物に赤色光が照射可能な第３の照射ユニットと、
前記第１の照射ユニット、前記第２の照射ユニット、及び前記第３の照射ユニットによる照射を制御する制御ユニットとを含み、
前記制御ユニットは、前記第１の照射ユニット、前記第２の照射ユニット、及び前記第３の照射ユニットによる照射時に、前記第３の照射ユニットから照射される赤色光の光量子束密度（ＬＲ）と前記第１の照射ユニットから照射される青色光の光量子束密度（ＬＢ）との比（ＬＲ／ＬＢ）が、０．６≦ＬＲ／ＬＢ≦２の範囲を満たすように、前記第１の照射ユニット及び前記第３の照射ユニットの照射を制御する、植物における水疱症の抑制装置。
【発明の詳細な説明】
【技術分野】
【０００１】
本発明は、植物における水疱症の抑制方法、植物の生産方法及び植物における水疱症の抑制装置に関する。
【背景技術】
【０００２】
植物の種子の販売で、販売する種子の品質管理が行なわれている。具体的には、一部の種子を抜き出し、育苗することで、発芽率を検討する（非特許文献１及び２）。また、前記種子から得られた苗の草姿及び色味の検査を目視により実施する（非特許文献３）。
【先行技術文献】
【非特許文献】
【０００３】
【非特許文献１】農林水産省、「種苗法施行規則の規定に基づき発芽率の表示の方法等を定める件」、１９８９年
【非特許文献２】農林水産省、「指定種苗の生産などに関する基準」、２００２年
【非特許文献３】深澤郁男、「農業技術体系  野菜編  『苗の診断と追肥・灌水の判断』」、１９９７年、基＋２７１〜基＋２７６
【発明の概要】
【発明が解決しようとする課題】
【０００４】
本発明者らは、前記種子から苗の育苗に使用する光源を蛍光灯からＬＥＤ（light emitting diode）灯に変更したところ、得られた苗、特に、トマト植物において、水疱症が発生することを見出した。また、紫外線を照射することにより、水疱症の発生を抑制できたが、紫外線は、人体に悪影響を与える。
【０００５】
そこで、本発明は、ＬＥＤ灯を用いた際にも、緑色光を含むことで目視による品質検査が可能であり、かつ水疱症の発症を抑制可能な植物における水疱症の抑制方法を提供することを目的とする。
【課題を解決するための手段】
【０００６】
前記目的を達成するために、本発明の植物における水疱症の抑制方法（以下、「抑制方法」ともいう）は、植物に光を照射する第１の照射工程を含み、
前記光は、青色光、緑色光及び赤色光を含み、
赤色光の光量子束密度（ＬＲ）と青色光の光量子束密度（ＬＢ）との比（ＬＲ／ＬＢ）は０．６≦ＬＲ／ＬＢ≦２の範囲を満たす。
【０００７】
本発明の植物の生産方法（以下、「生産方法」ともいう）は、植物に光を照射し、生育させる生育工程を含み、
前記生育工程は、前記本発明の抑制方法により実施される。
【０００８】
本発明の植物における水疱症の抑制装置（以下、「抑制装置」ともいう）は、植物に青色光を照射可能な第１の照射ユニットと、
植物に緑色光を照射可能な第２の照射ユニットと、
植物に赤色光が照射可能な第３の照射ユニットと、
前記第１の照射ユニット、前記第２の照射ユニット、及び前記第３の照射ユニットによる照射を制御する制御ユニットとを含み、
前記制御ユニットは、前記第１の照射ユニット、前記第２の照射ユニット、及び前記第３の照射ユニットによる照射時に、前記第３の照射ユニットから照射される赤色光の光量子束密度（ＬＲ）と前記第１の照射ユニットから照射される青色光の光量子束密度（ＬＢ）との比（ＬＲ／ＬＢ）が、０．６≦ＬＲ／ＬＢ≦２の範囲を満たすように、前記第１の照射ユニット及び前記第３の照射ユニットの照射を制御する。
【発明の効果】
【０００９】
本発明によれば、ＬＥＤ灯を用いた際にも、緑色光を含むことで目視による品質検査が可能であり、かつ水疱症の発症を抑制可能である。
【図面の簡単な説明】
【００１０】
【図１】図１は、本発明の抑制装置の一例を示す模式図である。
【発明を実施するための形態】
【００１１】
＜水疱症の抑制方法＞
本発明の植物における水疱症の抑制方法は、前述のように、植物に光を照射する第１の照射工程を含み、前記光は、青色光、緑色光及び赤色光を含み、赤色光の光量子束密度（ＬＲ）と青色光の光量子束密度（ＬＢ）との比（ＬＲ／ＬＢ）は０．６≦ＬＲ／ＬＢ≦２の範囲を満たす。本発明の抑制方法は、ＬＲ／ＬＢが、０．６≦ＬＲ／ＬＢ≦２を満たすことが特徴であり、その他の工程及び条件は、特に制限されない。
【００１２】
本発明者らは、鋭意研究の結果、緑色光を含むＬＥＤ灯を用いた場合においても、メカニズムは不明であるが、赤色光の光量子束密度（ＬＲ）と青色光の光量子束密度（ＬＢ）との比を一定の範囲にすること、すなわち、ＬＲ／ＬＢを、０．６≦ＬＲ／ＬＢ≦２を満たす範囲とすることにより、植物の生育時、特に、育苗時の水疱症の発生を抑制できることを見出して、本発明を確立するに至った。本発明では、前記植物への照射光の成分として、前記緑色光を含むため、前記緑色光と併せて照射される前記青色光及び前記赤色光とにより白色調の光色となる。このため、本発明によれば、目視による品質検査が可能となり、かつ植物における水疱症の発生を抑制できる。また、本発明によれば、ＬＲ／ＬＢを、０．６≦ＬＲ／ＬＢ≦２とすることにより、例えば、健全な苗姿を有する植物を育成可能である。さらに、本発明によれば、ＬＲ／ＬＢを制御することにより、水疱症の発生を抑制できるため、例えば、紫外線の照射が不要である。このため、本発明によれば、例えば、紫外線を使用しない安全な環境下で植物を生育できる。
【００１３】
本発明の抑制方法によれば、例えば、植物の種子から育苗する際又は苗から成体を生育させる際に、水疱症の発生を抑制できる。このため、本発明の抑制方法は、水疱症の発生が抑制された育苗方法、又は水疱症の発生が抑制された植物の生育方法ということもできる。
【００１４】
本発明において、「健全な苗姿」は、例えば、下記（１）〜（４）のいずれかを満たす植物の苗を意味し、好ましくは、全てを満たす苗である。
（１）軟弱徒長しておらず、胚軸、子葉及び本葉が適度に硬い
（２）子葉及び本葉は広く展開している
（３）葉色は濃緑色でやや光沢がある
（４）子葉葉及び本葉は厚みがあり、葉脈がハッキリしている
【００１５】
本発明において、前記植物は、特に制限されず、例えば、農業又は園芸に利用される植物があげられ、例えば、農芸植物ということもできる。前記農芸植物は、例えば、園芸的分類における、野菜類又は花卉類があげられる。本発明の抑制方法は、例えば、前記水疱症を効果的に抑制できることから、前記植物としては、トマト植物（トマト）が好ましい。
【００１６】
前記野菜類は、例えば、果菜類、葉茎類、根菜類等があげられる。前記果菜類は、トウモロコシ等の穀物類；アズキ、インゲンマメ、エンドウ、エダマメ、ササゲ、シカクマメ、ソラマメ、ダイズ、ナタマメ、ラッカセイ、レンズマメ、ゴマ等のマメ類；ナス、ペピーノ、トマト、ミニトマト、タマリロ、タカノツメ、トウガラシ、シシトウガラシ、ハバネロ、ピーマン、パプリカ、カラーピーマン、カボチャ、ズッキーニ、キュウリ、ツノニガウリ、シロウリ、ゴーヤ、トウガン、ハヤトウリ、ヘチマ、ユウガオ、オクラ、イチゴ、スイカ、メロン、マクワウリ；等があげられる。前記葉茎類は、例えば、アイスプラント、アシタバ、カラシナ、キャベツ、クレソン、ケール、コマツナ、サラダナ、サニーレタス、サイシン、サンチュ、山東菜、シソ、シュンギク、ジュンサイ、シロナ、セリ、セロリ、タアサイ、ダイコンナ（スズシロ）、タカナ、チシャ、チンゲンサイ、ツケナ、菜の花、野沢菜、白菜、パセリ、ハルナ、フダンソウ、ホウレンソウ、ホトケノザ、ミズナ、ミドリハコベ、コハコベ、ウシハコベ、ミブナ、ミツバ、メキャベツ、モロヘイヤ、リーフレタス、ルッコラ、レタス、ワサビナ等の葉菜類；ネギ、細ネギ、アサツキ、ニラ、アスパラガス、ウド、コールラビ、ザーサイ、タケノコ、ニンニク、ヨウサイ、ネギ、ワケギ、タマネギ等の茎菜類；アーティチョーク、ブロッコリー、カリフラワー、食用菊、なばな、フキノトウ、ミョウガ等の花菜類；スプラウト、モヤシ、かいわれ大根等の発芽野菜；等があげられる。前記根菜類は、例えば、サツマイモ、サトイモ、ジャガイモ、ナガイモ（大和芋）、ヤマノイモ（山芋、自然薯）等のイモ類；カブ、ダイコン、ハツカダイコン、ワサビ、ホースラディッシュ、ゴボウ、チョロギ、ショウガ、ニンジン、ラッキョウ、レンコン、ユリ根；等があげられる。
【００１７】
前記花卉類は、例えば、ホリホック、ブーバルジア、ゴデチア、ツキミソウ、ストック、ハボタン、ルナリア、アシダンセラ、イリス、グラジオラス、ハナビシソウ、ペペロミア、カルセオラリア、キンギョソウ、トレニア、サクラソウ、シクラメン、マツバギク、アンスリウム、カラー、カラジウム、ショウブ、シンゴニウム、スパシフィルム、ディーフェンバキア、フィロデンドロン、サボテン類、アジュガ、カクトラノオ、サルビア、ベゴニア、クルクマ、スイレン、ポーチュラカ、スミレ、ホワイトレースフラワー、セトクレアセア、ムラサキオモト、ムラサキツユクサ、ホウセンカ、ツノナス、ペチュニア、ホオズキ、カーネーション、ナデシコ、セキチク、カスミソウ、宿根カスミソウ、ムシトリナデシコ、グズマニア、ストレリチア、シバザクラ、フロックス、オイランソウ、キョウカノコ、アマクリナム、アマリリス、キク、マーガレット、クンシラン、キルタンサス、スイセン、スノーフレーク、タマスダレ、ネリネ、ハマオモト、ユーチャリス、リコリス、リュウゼツラン、ケイトウ、センニチコウ、アサガオ、エボルブルス、クレオメ、ゼラニウム、カランコエ、スカビオサ、スイートピー、ルピナス、ルリジオ、ワスレナグサ、アスチルベ、ユキノシタ、アガパンサス、アマドコロ、アロエ、オーニソガルム、オモト、オリズルラン、ギボウシ、クロユリ、グロリオーサ、コルチカム、サンセベリア、サンダーソニア、ジャノヒゲ、チューリップ、ツルバキア、ドイツスズラン、ドラセナ、トリテレイア、ナルコユリ、ニューサイラン、バイモ、ヒアシンス、ホトトギス、ヤブカンゾウ、ヤブラン、ユリ、アルストロメリア、ルスカス、アツモリソウ、エビネ、オンシジウム、カトレア、コルマナラ、シラン、シンビジウム、セロジネ、デンドリビウム、ドリテノプシス、ナゴラン、パフィオペディルム、バンダ、ビルステケラ、ファレノプシス、ブラウナウ、ミルトニア、エキザカム、トルコギキョウ、リンドウ、ランタナ、バラ、サクラ、ガーベ等があげられる。前記花卉類は、例えば、葉を観賞するために用いられる植物でもよく、具体例として、サカキ、ソテツ、シダ、ドラセナ、ハラン、モンステラ、ポトス、コンパクター、ポリシャス、ジャングルブッシュ、リキュウソウ、ベアグラス、ピトスポラム等があげられる。
【００１８】
本発明において、前記植物の生育段階は、特に制限されず、例えば、種子、種子が発芽した発芽種子、前記発芽種子が生育した苗、前記苗が生育した成体等があげられる。本発明の抑制方法は、例えば、前記水疱症を効果的に抑制できることから、前記植物の生育段階としては、前記種子から苗の間が好ましく、前記発芽種子から苗の間がより好ましい。前記苗は、例えば、発芽播種後から、定植前の植物を意味する。
【００１９】
本発明において、前記光は、その成分として可視光を含むが、さらに、不可視光線、すなわち、紫外線及び赤外線の少なくとも一方を含んでもよい。前記赤外線は、例えば、近赤外線及び遠赤外線があげられる。本発明において、前記「紫外線」は、例えば、波長が、４００ｎｍ未満である光を意味する。前記「青色光」は、例えば、波長が、４００ｎｍ以上、５００ｎｍ未満である光を意味する。前記「緑色光」は、例えば、波長が、５００ｎｍ以上、６００ｎｍ未満である光を意味する。前記「赤色光」は、例えば、波長が、６００ｎｍ以上、７００ｎｍ未満である光を意味する。前記「近赤外線」は、例えば、波長が、７００ｎｍ以上、７８０ｎｍ未満である光を意味する。前記「遠赤外線」は、例えば、波長が、７８０ｎｍ以上である光を意味する。
【００２０】
本発明において、「水疱症」は、例えば、非病原性のこぶ状突起が葉や茎などに発生する生理障害を意味する。植物が水疱症に罹患した場合、前記植物では、例えば、葉の組織内に水疱のようなこぶができ、葉緑体が抜けることで光合成速度の低下、成長阻害や枯死につながる。
【００２１】
本発明において、「水疱症の抑制」は、例えば、水疱症の発生（発症）の抑制又は防止、及び水疱症の症状の進展の抑制又は停止のいずれの意味で用いてもよい。
【００２２】
前記第１の照射工程は、前記植物に光を照射する工程である。前記第１の照射工程は、例えば、１回実施してもよいし、複数回実施してもよい。前記第１の照射工程では、前記植物に光を連続または非連続的に照射するが、前者が、好ましい。前記連続的な照射は、例えば、継続的な照射ということもできる。前記非連続的な照射は、例えば、間欠的な照射ということもできる。
【００２３】
前記第１の照射工程は、例えば、光源を用いて、前記光源から発する光を前記植物に向かって照射することにより実施できる。具体例として、前記第１の照射工程は、例えば、前記植物の上方に光の投射方向を下方に向けて設置された光源の光を、前記植物に照射することにより実施できる。
【００２４】
前記光源は、例えば、前記青色光、前記緑色光及び前記赤色光のいずれか１つ又は２つ以上の光を発することが可能な光源があげられる。前記光源は、例えば、１又は複数である。前記光源が１つの場合、前記光源が前記青色光、前記緑色光及び前記赤色光を発し、かつ前記青色光及び前記赤色光が、前述のＬＲ／ＬＢを満たす。他方、前記光源が複数の場合、前記光源は、例えば、前記青色光、前記緑色光又は前記赤色光を発する光源を組み合せて用いてもよいし、前記青色光、前記緑色光及び前記赤色光のうちいずれか１つ以上を発する光源を複数組み合わせてもよい。具体例として、前記光源は、前記青色光、前記緑色及び前記赤色光を発する光源と、前記青色光を発する光源と、前記赤色光を発する光源との組合せ、白色光の光源と、前記青色光を発する光源と、前記赤色光を発する光源の組合せ等があげられる。
【００２５】
前記各色を発する光源は、例えば、各光の波長領域の一部又は全体に波長分布を有するが、前記水疱症を効果的に抑制できることから、その波長領域全体に波長分布を有することが好ましい。
【００２６】
前記光源は、例えば、ＬＥＤ、蛍光管、メタルハライドランプ、ナトリウムランプ、ハロゲンランプ、キセノンランプ、ネオン管、無機エレクトロルミネッセンス、有機エレクトロルミネッセンス、ケミルミネッセンス（化学発光）、レーザー等が使用できるが、好ましくは、ＬＥＤである。また、前記光源は、所望の光を照射するため、分光フィルターを透過させて使用してもよい。また、前記光源は、異なる発光手段を組み合わせてもよい。
【００２７】
前記植物は、例えば、単離された植物でもよいし、前記栽培容器内に植えられた植物又はその種子でもよいし、田若しくは畑等の農地に定植された植物又はその種子でもよい。
【００２８】
前記光の光量子束密度（ＬＡ）は、前記青色光の光量子束密度（ＬＢ）と、前記緑色光の光量子束密度（ＬＧ）と、前記赤色光の光量子束密度（ＬＲ）との総和を意味する。前記第１の照射工程において、前記光の光量子束密度（ＬＡ）は、特に制限されず、例えば、１６０〜２８０μｍｏｌ ｍ−２ ｓ−１であり、好ましくは、１８０〜２３０μｍｏｌ ｍ−２ ｓ−１である。
【００２９】
前記第１の照射工程において、前記青色光の光量子束密度（ＬＢ）は、特に制限されない。前記ＬＢの下限は、特に制限されず、例えば、４５μｍｏｌ ｍ−２ ｓ−１である。前記ＬＢの上限は、特に制限されず、例えば、１２０μｍｏｌ ｍ−２ ｓ−１であり、前記水疱症を効果的に抑制でき、健全な植物に育苗できることから、好ましくは、１００μｍｏｌ ｍ−２ ｓ−１、８０μｍｏｌ ｍ−２ ｓ−１であり、より好ましくは、６０μｍｏｌ ｍ−２ ｓ−１である。前記ＬＢの範囲は、例えば、４５〜１２０μｍｏｌ ｍ−２ ｓ−１であり、前記水疱症を効果的に抑制でき、健全な植物に育苗できることから、好ましくは、４５〜１００μｍｏｌ ｍ−２ ｓ−１であり、より好ましくは、４５〜８０μｍｏｌ ｍ−２ ｓ−１または４５〜６０μｍｏｌ ｍ−２ ｓ−１である。
【００３０】
前記第１の照射工程において、前記緑色光の光量子束密度（ＬＧ）は、特に制限されない。前記ＬＧの下限は、特に制限されず、例えば、６０μｍｏｌ ｍ−２ ｓ−１であり、好ましくは、６５μｍｏｌ ｍ−２ ｓ−１である。前記ＬＧの上限は、特に制限されず、例えば、９０μｍｏｌ ｍ−２ ｓ−１であり、前記水疱症を効果的に抑制でき、健全な植物に育苗できることから、好ましくは、８０μｍｏｌ ｍ−２ ｓ−１である。前記ＬＧの範囲は、例えば、６０〜９０μｍｏｌ ｍ−２ ｓ−１であり、好ましくは、６５〜８０μｍｏｌ ｍ−２ ｓ−１である。
【００３１】
前記第１の照射工程において、前記赤色光の光量子束密度（ＬＲ）は、特に制限されない。前記ＬＲの下限は、特に制限されず、例えば、６０μｍｏｌ ｍ−２ ｓ−１である。前記ＬＲの上限は、特に制限されず、例えば、１１０μｍｏｌ ｍ−２ ｓ−１であり、前記水疱症を効果的に抑制でき、健全な植物に育苗できることから、好ましくは、８０μｍｏｌ ｍ−２ ｓ−１である。前記ＬＲの上限は、例えば、６０〜１１０μｍｏｌ ｍ−２ ｓ−１であり、前記水疱症を効果的に抑制できることから、好ましくは、６０〜８０μｍｏｌ ｍ−２ ｓ−１である。
【００３２】
本発明において、光量子束密度は、光量子束密度の計測機器を用いて測定できる。前記計測機器は、ライトアナライザー（型番：LA105、株式会社日本医化器械製作所）を使用できる。前記光量子束密度は、前記計測機器の受光面を栽培地面の反対方向（光の照射方向）に向けて、栽培地面上（例えば、培養容器上）の中心に配置し、測定することで取得できる。前記受光面は、例えば、前記栽培地面を基準として、２〜２．５ｃｍの高さに配置される。前記計測機器は、ライトアナライザー以外の測定機器を用いてもよい。この場合、本発明における光量子束密度は、他の計測機器の測定値を、前記ライトアナライザーの測定値に換算した値となる。
【００３３】
前記第１の照射工程において、前記ＬＲとＬＢとの比（ＬＲ／ＬＢ）は、０．６≦ＬＲ／ＬＢ≦２の範囲であり、より広い品種に対して水疱症を効果的に抑制でき、健全な植物に育苗できることから、より好ましくは、０．８≦ＬＲ／ＬＢ≦１．６の範囲であり、さらに広い品種に対して水疱症をより効果的に抑制でき、健全な植物に育苗できることから、さらに好ましくは、１≦ＬＲ／ＬＢ≦１．４の範囲である。
【００３４】
前記第１の照射工程において、前記ＬＲとＬＧとの比（ＬＲ／ＬＧ）は、特に制限されず、例えば、０．６≦ＬＲ／ＬＧ≦１．６の範囲であり、前記水疱症を効果的に抑制でき、植物の徒長が抑制できることから、より好ましくは、０．８≦ＬＲ／ＬＧ≦１．４の範囲であり、より広い品種に対して水疱症をより効果的に抑制でき、健全な植物に育苗できることから、０．９≦ＬＲ／ＬＧ≦１．１の範囲である。
【００３５】
前記第１の照射工程における照射時間（Ｔ１）は、特に制限されず、例えば、１日の周期の時間に応じて適宜設定できる。前記Ｔ１は、例えば、１２〜２０時間であり、好ましくは、１４〜１８時間又は１５〜１７時間である。前記１日の周期が２４時間の場合、前記Ｔ１は、例えば、１２〜２０時間であり、好ましくは、１４〜１８時間又は１５〜１７時間である。
【００３６】
本発明の抑制方法は、例えば、前記植物に光を照射しない非照射工程を含んでもよい。前記１日の周期において、前記非照射工程は、例えば、前記第１の照射工程以外の工程ということもできる。前記非照射工程は、例えば、前記第１の照射工程において使用する光源から光が発せられないようにすることにより実施できる。前記非照射工程の時間（Ｔ３）は、前記第１の照射工程の照射時間に応じて、適宜設定できる。
【００３７】
本発明の抑制方法は、前記第１の照射工程後、前記植物に青色光を照射する第２の照射工程を含むことが好ましい。本発明の抑制方法は、前記第２の照射工程を含むことにより、前記水疱症をより効果的に抑制でき、植物の徒長が抑制できる。前記第２の照射工程は、例えば、１回実施してもよいし、複数回実施してもよい。前記第２の照射工程では、前記植物に光を連続または非連続的に照射するが、前者が、好ましい。
【００３８】
前記第２の照射工程は、例えば、青色光の光源を用いて、前記光源から発する青色光を前記植物に向かって照射することにより実施できる。具体例として、前記第２の照射工程は、例えば、前記植物の上方に光の投射方向を下方に向けて設置された光源の青い光を、前記植物に照射することにより実施できる。前記第２の照射工程で用いる光源は、前記第１の照射工程で用いる光源と同じでもよいし、異なってもよい。
【００３９】
前記第２の照射工程において、前記青色光の光量子束密度（ＬＢ）は、特に制限されない。前記ＬＢの下限は、特に制限されず、例えば、２０μｍｏｌ ｍ−２ ｓ−１であり、好ましくは、３０μｍｏｌ ｍ−２ ｓ−１である。前記ＬＢの上限は、特に制限されず、例えば、６０μｍｏｌ ｍ−２ ｓ−１であり、好ましくは、５０μｍｏｌ ｍ−２ ｓ−１である。前記ＬＢの範囲は、例えば、２０〜６０μｍｏｌ ｍ−２ ｓ−１であり、前記水疱症を効果的に抑制でき、健全な植物に育苗できることから、好ましくは、３０〜５０μｍｏｌ ｍ−２ ｓ−１である。
【００４０】
前記第２の照射工程における照射時間（Ｔ２）は、特に制限されず、例えば、１日の周期の時間に応じて適宜設定できる。前記Ｔ２は、例えば、１〜５時間であり、前記水疱症を効果的に抑制でき、健全な植物に育苗できることから、好ましくは、３〜５時間である。
【００４１】
前記Ｔ２と前記Ｔ１との比（Ｔ２／Ｔ１）は、特に制限されず、例えば、０．１≦Ｔ２／Ｔ１≦０．３の範囲であり、好ましくは、０．２≦Ｔ２／Ｔ１≦０．３の範囲である。
【００４２】
本発明の抑制方法が前記第２の照射工程を含む場合、本発明の抑制方法は、前記非照射工程を含むことが好ましい。この場合、前記１日の周期において、前記非照射工程は、例えば、前記第１の照射工程及び前記第２の照射工程以外の工程ということもできる。本発明の抑制方法が前記第２の照射工程及び前記非照射工程を含む場合、本発明の抑制方法は、前記水疱症を効果的に抑制でき、健全な植物に育苗できることから、前記第１の照射工程と、前記第２の照射工程と、前記非照射工程とをこの順序で実施することが好ましい。
【００４３】
本発明の抑制方法が前記第１の照射工程と、前記第２の照射工程と、前記非照射工程とを含む場合、本発明の抑制方法は、例えば、前記第１の照射工程と、前記第２の照射工程と、前記非照射工程とを１セットとし、これらの工程を、複数セット実施することが好ましい。前記複数は、特に制限されず、例えば、前記植物が所望の生育段階に生長するまでの期間に応じて適宜設定できる。具体例として、前記第１の照射工程と前記第２の照射工程と前記非照射工程の１セットの時間が２４時間、すなわち、１日であり、かつ植物を種子から苗まで育苗する場合、前記第１の照射工程と前記第２の照射工程と前記非照射工程とは、例えば、１０〜２０セット（１０〜２０日）、好ましくは、１４〜１６セット（１４〜１６日）実施される。
【００４４】
本発明の抑制方法が前記第１の照射工程と、前記第２の照射工程と、前記非照射工程とを複数セット実施する場合、各セット間には、前記第１の照射工程、前記第２の照射工程及び前記非照射工程以外の他の工程を含んでもよい。前記他の工程は、例えば、前記第１の照射工程及び前記第２の照射工程とは異なる条件で、植物に光を照射する工程があげられる。
【００４５】
本発明の抑制方法において、各工程における植物の栽培方法及び栽培条件は、特に制限されず、前記植物の種類に応じて適宜決定できる。具体例として、栽培温度は、例えば、１０〜３５℃、１５〜３０℃があげられる。栽培時の湿度は、例えば、１０〜９０％、３０〜８０％、５０〜８０％である。前記湿度は、例えば、前記植物を栽培している場所の湿度でもよいし、前記植物の株元の湿度でもよい。灌水の頻度は、例えば、１〜５日に１回、１〜３日に１回である。前記植物の栽培に用いる培養土は、特に制限されず、前記植物の種類に応じて適宜決定できる。
【００４６】
＜植物の生産方法＞
本発明の植物の生産方法は、前述のように、植物に光を照射し、生育させる生育工程を含み、前記生育工程は、前記本発明の抑制方法により実施される。本発明の生産方法は、前記生育工程が、前記本発明の抑制方法により実施されることが特徴であり、その他の工程及び条件は特に制限されない。本発明の生産方法によれば、水疱症の発生が抑制された苗を生産できる。また、本発明の生産方法によれば、生育時の水疱症の発生を抑制できるため、定植に利用できる苗を効率よく生産できる。本発明の生産方法は、前記本発明の抑制方法の説明を援用できる。
【００４７】
前記植物の生育段階は、特に制限されず、例えば、前述の説明を援用でき、好ましくは、植物苗である。前記植物苗は、例えば、植物の苗を意味し、自根苗でもよいし、接ぎ木苗でもよい。前記植物苗は、前記本発明の抑制方法の説明を援用できる。
【００４８】
前記生育工程は、例えば、前記植物が所望の生育段階になるまで実施する。
【００４９】
＜抑制装置＞
本発明の植物における水疱症の抑制装置は、前述のように、植物に青色光を照射可能な第１の照射ユニットと、植物に緑色光を照射可能な第２の照射ユニットと、植物に赤色光が照射可能な第３の照射ユニットと、前記第１の照射ユニット、前記第２の照射ユニット、及び前記第３の照射ユニットによる照射を制御する制御ユニットとを含み、前記制御ユニットは、前記第１の照射ユニット、前記第２の照射ユニット、及び前記第３の照射ユニットによる照射時に、前記第３の照射ユニットから照射される赤色光の光量子束密度（ＬＲ）と前記第１の照射ユニットから照射される青色光の光量子束密度（ＬＢ）との比（ＬＲ／ＬＢ）が、０．６≦ＬＲ／ＬＢ≦２の範囲を満たすように、前記第１の照射ユニット及び前記第３の照射ユニットの照射を制御する。本発明の抑制装置は、前記制御ユニットが、前記第１の照射ユニット、前記第２の照射ユニット、及び前記第３の照射ユニットによる照射時に、ＬＲ／ＬＢが、０．６≦ＬＲ／ＬＢ≦２の範囲を満たすように、前記第１の照射ユニット及び前記第３の照射ユニットの照射を制御することが特徴であり、その他の構成及び条件は、特に制限されない。本発明の抑制装置は、前記本発明の抑制方法及び生産方法の説明を援用できる。
【００５０】
次に、本発明の抑制装置の例について、図面を用いて説明する。
【００５１】
図１に、本発明の抑制装置の一例を示す。図１に示すとおり、抑制装置１０は、第１の照射ユニット１１と、第２の照射ユニット１２と、第３の照射ユニット１３と、制御ユニット１４とを備える。図１に示すように、抑制装置１０は、植物Ｐの上方に配置され、抑制装置１０の第１の照射ユニット１１と、第２の照射ユニット１２と、第３の照射ユニット１３とが、それぞれ、青色光、緑色光及び赤色光を照射する。第１の照射ユニット１１、第２の照射ユニット１２及び第３の照射ユニット１３は、それぞれ、青色光、緑色光及び赤色光の光源を備える。制御ユニット１４は、第１の照射ユニット１１、第２の照射ユニット１２及び第３の照射ユニット１３と接続され、各照射ユニットの光源のＯＮ／ＯＦＦの制御、照明時間及び各光の強度を制御する。制御ユニット１４は、マイコン等でもよいし、ＣＰＵ等の演算装置を備えるパーソナルコンピュータ等と同様の構成としてもよい。制御ユニット１４は、本発明の抑制方法を実行するプログラムにしたがって、前述のように、各照射ユニットを制御する。図１において、第１の照射ユニット１１、第２の照射ユニット１２及び第３の照射ユニット１３は、別部材で構成されているが、いずれか２つ以上が一体として構成されてもよく、全部が一体として構成されてもよい。また、制御ユニット１４は、第１の照射ユニット１１、第２の照射ユニット１２及び第３の照射ユニット１３と別部材として構成されているが、いずれかの照射ユニットと一体として構成されてもよい、すなわち、照射ユニットの内部に組込まれてもよい。抑制装置１０は、前記本発明の抑制方法と同様の方法になるように、制御ユニット１４により、各照射ユニットを制御することで使用する。
【実施例】
【００５２】
つぎに、本発明の実施例について説明する。なお、本発明は、下記の実施例により限定及び制限されない。
【００５３】
［実施例１］
本発明の抑制方法により、水疱症の発症が抑制できることを確認した。
【００５４】
２００穴を備える播種トレイに、床土（含水セル培土初期肥効型、タキイ種苗株式会社製）を導入後、トマト植物の種子（桃太郎ピース、Ｂバリア又はＴＴＭ−０７９、いずれもタキイ種苗株式会社製）を床土上に播種した。つぎに、前記播種トレイに覆土（含水セル培土初期肥効型）を導入した。そして、播種トレイを十分に灌水した後、本葉２枚が展開するまで（播種後１４〜１６日間）栽培した。栽培条件及び光の照射条件は、下記の通りとした。第２の照射工程を行なわないサンプルについては、非照射工程を８時間実施した。他方、第２の照射工程を４時間行なうサンプルについては、非照射工程を４時間実施した。植物における光量子束密度は、前述の測定機器を、播種トレイの中心にその受光面を光源側に向けて配置し、測定した。
【００５５】
（栽培条件）
１日の周期：２４時間
湿度（栽培室）：６０％
湿度（株元）：８０％
灌水：３日に１回底面灌水
【００５６】
（光の照射条件）
Ｔ１：１６時間
Ｔ２：０又は４時間
Ｔ３：８又は４時間
第１の照射工程における各光の光量子束密度：下記表１のとおり
第２の照射工程における青色光の光量子束密度：４０μｍｏｌ ｍ−２ ｓ−１
【００５７】
前記培養後、各植物について、下記水疱症の評価基準及び徒長の評価基準に基づき評価した。なお、徒長は、培土より上の胚軸の長さ（Ｌ）を測定し、評価した。これらの結果を下記表１に示す。
【００５８】
（水疱症の評価基準）
◎：発症無し
○：予兆あり、又は極軽度の発症
×：発症
【００５９】
（徒長の評価基準）
◎：Ｌ＜４．０（ｃｍ） 
○：４．０≦Ｌ＜５．０（ｃｍ）
×：５．０≦Ｌ（ｃｍ）
【００６０】
【表１】
2020145975.tif 000002
【００６１】
前記表１に示すように、ＬＲ／ＬＢ＝０．５又は２．４である比較例１Ａ及び１Ｂにおいて、いずれも水疱症が発生した。他方、０．６≦ＬＲ／ＬＢ≦２を満たす実施例１Ａ〜Ｉは、いずれも水疱症の発症が抑制された。特に、０．８≦ＬＲ／ＬＢ≦２．０を満たす実施例１Ａ〜Ｇでは、より広い品種に対して水疱症を効果的に抑制できた。さらに、１．０≦ＬＲ／ＬＢ≦１．４を満たし、かつ０．９≦ＬＲ／ＬＧ≦１．１を満たす実施例１Ｄ、Ｅ及びＧでは、より広い品種に対して水疱症を効果的に抑制でき、かつ苗の徒長を抑制できた。そして、１．０≦ＬＲ／ＬＢ≦１．４を満たし、かつ０．９≦ＬＲ／ＬＧ≦１．１を満たす実施例１Ｄ、Ｅ及びＧでは、前記（１）〜（４）の条件を満たしており、健全な苗姿の植物の苗が育苗できた。
【００６２】
以上のことから、本発明の抑制方法により、水疱症の発症が抑制できることがわかった。
【００６３】
［実施例２］
本発明の抑制方法により、水疱症の発症が抑制できることを確認した。
【００６４】
前記表１に示す第１の照射工程における各光の光量子束密度に代えて、下記表２に示す第１の照射工程における各光の光量子束密度を用いた以外は、実施例１と同様にして、水疱症及び徒長を評価した。これらの結果を下記表２に示す。
【００６５】
【表２】
2020145975.tif 000003
【００６６】
前記表２に示すように、０．６≦ＬＲ／ＬＢ≦２を満たす実施例２Ａ〜Ｊは、いずれも水疱症の発症が抑制された。また、１．０≦ＬＲ／ＬＢ≦１．４を満たし、かつ０．９≦ＬＲ／ＬＧ≦１．１を満たす実施例２Ｄ〜Ｇでは、より広い品種に対して水疱症を効果的に抑制でき、かつ苗の徒長を抑制できた。そして、１．０≦ＬＲ／ＬＢ≦１．４を満たし、かつ０．９≦ＬＲ／ＬＧ≦１．１を満たす実施例２Ｄ〜Ｇでは、前記（１）〜（４）の条件を満たしており、健全な苗姿の植物の苗が育苗できた。さらに、実施例２Ａ及び２Ｂの桃太郎ピースの結果から明らかなように、第２の照射工程を含むことで、効果的に徒長を抑制できた。そして、実施例２Ｈおよび２Ｉの桃太郎ピースの結果から明らかなように、第２の照射工程を含むことで、水疱症の発症が抑制された。
【００６７】
以上のことから、本発明の抑制方法により、水疱症の発症が抑制できることがわかった。
【００６８】
［実施例３］
異なるトマト品種に対して、本発明の抑制方法により、水疱症の発症が抑制でき、かつ育苗において植物の徒長が抑制できることを確認した。
【００６９】
植物の種子として、桃太郎ピース、Ｂバリア、ＴＴＭ−０７９に代えて、下記表３のトマトの種子を用い、下記の照射条件とした以外は、前記実施例１と同様にして、水疱症及び徒長を評価した。これらの結果を下記表３に示す。
【００７０】
・品種１〜１０の照射条件
Ｔ１：１６時間
Ｔ２：４時間
Ｔ３：４時間
第１の照射工程における各光の光量子束密度：
ＬＧ：ＬＲ：ＬＢ＝７５：９０：５５（μｍｏｌ ｍ−２ ｓ−１）
ＬＲ／ＬＢ＝１．８
ＬＲ／ＬＧ＝１．２
第２の照射工程における青色光の光量子束密度：３０μｍｏｌ ｍ−２ ｓ−１
・品種１１〜２５の照射条件
Ｔ１：１６時間
Ｔ２：４時間
Ｔ３：４時間
第１の照射工程における各光の光量子束密度：
ＬＧ：ＬＲ：ＬＢ＝７５：６０：４５（μｍｏｌ ｍ−２ ｓ−１）
ＬＲ／ＬＢ＝１．３
ＬＲ／ＬＧ＝０．８
第２の照射工程における青色光の光量子束密度：３０μｍｏｌ ｍ−２ ｓ−１
【００７１】
【表３】
2020145975.tif 000004
【００７２】
前記表３に示すように、いずれの品種においても、水疱症が抑制され、かつ徒長が抑制されていた。
【００７３】
以上のことから、本発明の抑制方法により、異なるトマト品種の水疱症の発生を抑制でき、かつ育苗において植物の徒長が抑制できることを確認した。
【００７４】
以上、実施形態及び実施例を参照して本発明を説明したが、本発明は、上記実施形態及び実施例に限定されるものではない。本発明の構成や詳細には、本発明のスコープ内で当業者が理解しうる様々な変更をすることができる。
【００７５】
＜付記＞
上記の実施形態及び実施例の一部又は全部は、以下の付記のように記載されうるが、以下には限られない。
（付記１）
植物に光を照射する第１の照射工程を含み、
前記光は、青色光、緑色光及び赤色光を含み、
赤色光の光量子束密度（ＬＲ）と青色光の光量子束密度（ＬＢ）との比（ＬＲ／ＬＢ）は０．６≦ＬＲ／ＬＢ≦２の範囲を満たす、植物における水疱症の抑制方法。
（付記２）
前記ＬＲ／ＬＢは、１≦ＬＲ／ＬＢ≦１．４の範囲を満たす、付記１記載の抑制方法。
（付記３）
前記第１の照射工程において、前記緑色光の光量子束密度（ＬＧ）は、６０μｍｏｌ ｍ−２ ｓ−１以上である、付記１又は２記載の抑制方法。
（付記４）
前記第１の照射工程において、前記光の光量子束密度（ＬＡ）は、１６０〜２８０μｍｏｌ ｍ−２ ｓ−１の範囲である、付記１乃至３のいずれかに記載の抑制方法。
（付記５）
赤色光の光量子束密度（ＬＲ）と緑色光の光量子束密度（ＬＧ）との比（ＬＲ／ＬＧ）は、０．６≦ＬＲ／ＬＧ≦１．６の範囲を満たす、付記１乃至４のいずれかに記載の抑制方法。
（付記６）
前記第１の照射工程の照射時間（Ｔ１）は、１２〜２０時間である、付記１乃至５のいずれかに記載の抑制方法。
（付記７）
前記第１の照射工程後、前記植物に青色光を照射する第２の照射工程を含む、付記１乃至６のいずれかに記載の抑制方法。
（付記８）
前記第２の照射工程の照射時間（Ｔ２）と前記第１の照射工程の照射時間（Ｔ１）との比（Ｔ２／Ｔ１）は、０．１≦Ｔ２／Ｔ１≦０．３の範囲である、付記７記載の抑制方法。
（付記９）
前記第２の照射工程の照射時間（Ｔ２）は、１〜５時間である、付記７又は８記載の抑制方法。
（付記１０）
前記植物に光を照射しない非照射工程を含む、付記１乃至９のいずれかに記載の抑制方法。
（付記１１）
前記光は、ＬＥＤに由来する、付記１乃至１０のいずれかに記載の抑制方法。
（付記１２）
前記植物は、トマト植物である、付記１乃至１１のいずれかに記載の抑制方法。
（付記１３）
植物苗に光を照射し、育苗する育苗工程を含み、
前記育苗工程は、付記１乃至１２のいずれかに記載の抑制方法により実施される、植物苗の生産方法。
（付記１４）
植物に青色光を照射可能な第１の照射ユニットと、
植物に緑色光を照射可能な第２の照射ユニットと、
植物に赤色光が照射可能な第３の照射ユニットと、
前記第１の照射ユニット、前記第２の照射ユニット、及び前記第３の照射ユニットによる照射を制御する制御ユニットとを含み、
前記制御ユニットは、前記第１の照射ユニット、前記第２の照射ユニット、及び前記第３の照射ユニットによる照射時に、前記第３の照射ユニットから照射される赤色光の光量子束密度（ＬＲ）と前記第１の照射ユニットから照射される青色光の光量子束密度（ＬＢ）との比（ＬＲ／ＬＢ）が、０．６≦ＬＲ／ＬＢ≦２の範囲を満たすように、前記第１の照射ユニット及び前記第３の照射ユニットの照射を制御する、植物における水疱症の抑制装置。
（付記１５）
前記制御ユニットは、前記第１の照射ユニット及び前記第３の照射ユニットを、ＬＲ／ＬＢが、１≦ＬＲ／ＬＢ≦１．４の範囲を満たすように制御する、付記１４記載の抑制装置。
（付記１６）
前記制御ユニットは、前記第２の照射ユニットを、前記緑色光の光量子束密度（ＬＧ）が、６０μｍｏｌ ｍ−２ ｓ−１以上となるように制御する、付記１４又は１５記載の抑制装置。
（付記１７）
前記制御ユニットは、前記第１の照射ユニット、前記第２の照射ユニット、及び前記第３の照射ユニットを、前記青色光、前記緑色光及び前記赤色光を含む光の光量子束密度（ＬＡ）は、１６０〜２８０μｍｏｌ ｍ−２ ｓ−１の範囲となるように制御する、付記１４乃至１６のいずれかに記載の抑制装置。
（付記１８）
前記制御ユニットは、前記第２の照射ユニット及び前記第３の照射ユニットを、赤色光の光量子束密度（ＬＲ）と緑色光の光量子束密度（ＬＧ）との比（ＬＲ／ＬＧ）が、０．６≦ＬＲ／ＬＧ≦１．６の範囲を満たすように制御する、付記１４乃至１７のいずれかに記載の抑制装置。
（付記１９）
前記制御ユニットは、前記第１の照射ユニット、前記第２の照射ユニット、及び前記第３の照射ユニットによる照射時間（Ｔ１）は、１２〜２０時間となるように制御する、付記１４乃至１８のいずれかに記載の抑制装置。
（付記２０）
前記制御ユニットは、前記第１の照射ユニット、前記第２の照射ユニット、及び前記第３の照射ユニットによる照射後、前記第１の照射ユニットにより前記植物に青色光を照射するように制御する、付記１４乃至１９のいずれかに記載の抑制装置。
（付記２１）
前記制御ユニットは、前記第１の照射ユニット、前記第２の照射ユニット、及び前記第３の照射ユニットを、前記第１の照射ユニットによる照射時間（Ｔ２）と、前記照射時間（Ｔ１）との比（Ｔ２／Ｔ１）が、０．１≦Ｔ２／Ｔ１≦０．３の範囲となるように制御する、付記２０記載の抑制装置。
（付記２２）
前記制御ユニットは、前記第１の照射ユニットを、前記第１の照射ユニットによる照射時間（Ｔ２）が、１〜５時間となるように制御する付記２０又は２１記載の抑制装置。
（付記２３）
前記制御ユニットは、前記第１の照射ユニット、前記第２の照射ユニット、及び前記第３の照射ユニットによる照射を実施しないように制御する、付記１４乃至２２のいずれかに記載の抑制装置。
（付記２４）
前記第１の照射ユニット、前記第２の照射ユニット、及び前記第３の照射ユニットは、光源として、ＬＥＤを備える、付記１４乃至２３のいずれかに記載の抑制装置。
（付記２５）
前記植物は、トマト植物である、付記１４乃至２４のいずれかに記載の抑制装置。
（付記２６）
付記１から１２のいずれかに記載の抑制方法に用いる、付記１４から２５のいずれかに記載の抑制装置。
【産業上の利用可能性】
【００７６】
以上説明したように、本発明によれば、ＬＥＤ灯を用いた際にも、緑色光を含むことで目視による品質検査が可能であり、水疱症の発症を抑制可能である。また、本発明によれば、ＬＲ／ＬＢを、０．６≦ＬＲ／ＬＢ≦２とすることにより、例えば、健全な苗姿を有する植物を育成可能である。さらに、本発明によれば、ＬＲ／ＬＢを制御することにより、水疱症の発生を抑制できるため、例えば、紫外線の照射が不要である。このため、本発明によれば、例えば、紫外線を使用しない安全な環境下で植物を生育できる。したがって、本発明は、例えば、種子の品質管理、植物工場等における育苗等の農芸分野において極めて有用である。
【符号の説明】
【００７７】
１０      抑制装置
１１      第１の照射ユニット
１２      第２の照射ユニット
１３      第３の照射ユニット
１４      制御ユニット
【図１】
2020145975.tif 000005